(57)【要約】  【課題】真空断熱材を用いて断熱を行うものであり、真空断熱材の固定作業などを行いやすい断熱箱体を提供する。  【解決手段】本発明の断熱箱体１を構成する板状部１９には、内側板２２と外側板２３からなる２重の金属板２０と、２重の金属板２０の間に形成される断熱層配置空間２７に配置される真空断熱材２５と発泡樹脂部２６を有している。真空断熱材２５は、外被材４１，４２と芯材４３とを有するものであって、芯材４３は複数の領域４３ａとなるように分割され、各領域４３ａ同士の間の外被材４１，４２には仕切部４６が形成されている。【選択図】図５
2007131319.tif 000002
【特許請求の範囲】
【請求項１】
板状部と、前記板状部によって囲まれる内部空間とを備え、
前記板状部は、内側板と外側板からなる２重の金属板と、前記金属板の間に配置される発泡樹脂部及び真空断熱材とを有し、前記内側板の内側に前記内部空間が形成されるものであり、
前記内側板及び前記外側板は平板を用いて形成されるものであって、折り曲げ又は湾曲によって形成された変形部と、平面部とが設けられ、
前記真空断熱材は、外被材と芯材とを有するものであって、前記芯材は複数の領域となるように分割され、前記各領域同士の間の前記外被材には仕切部が形成されており、
前記真空断熱材を前記金属板に固定する際には、前記芯材の各領域を前記平面部に配置して行うことを特徴とする断熱箱体。
【請求項２】
真空断熱材の仕切部が変形部に位置するように、前記真空断熱材が固定されていることを特徴とする請求項１に記載の断熱箱体。
【請求項３】
変形部は所定の方向に並んで複数設けられており、真空断熱材の芯材の領域の配列方向を、前記変形部に対して横断するように配置していることを特徴とする請求項２に記載の断熱箱体。
【請求項４】
変形部は所定の方向に延びるものであり、真空断熱材の芯材の領域の配列方向を、前記変形部の延びる方向に合わせたことを特徴とする請求項１に記載の断熱箱体。
【請求項５】
真空断熱材は、変形部同士の間に配置されていることを特徴とする請求項４に記載の断熱箱体。
【請求項６】
真空断熱材の仕切部では外被材が密着し、芯材の各領域で独立して密閉状態となっていることを特徴とする請求項１から５のいずれか一項に記載の断熱箱体。
【請求項７】
内部空間には温度調節装置が配置され、前記内部空間内を所定の温度に制御することができることを特徴とする請求項１から６のいずれか一項に記載の断熱箱体。
【発明の詳細な説明】
【技術分野】
【０００１】
本発明は、内側面と外側面が金属板で構成され、内側面と外側面の金属板の間に断熱材を有する断熱箱体に関するものである。
【背景技術】
【０００２】
貨物を船舶や貨物列車などを用いて輸送する場合、コンテナに貨物を積み込んで行われている。そして、輸送の際に貨物の冷蔵や冷凍しなければならないものの場合には、低温輸送用の保冷コンテナ（断熱箱体）が用いられる。
【０００３】
保冷コンテナは、貨物を積み込む内部空間がほぼ密閉状とすることができるものであり、また、内部空間の温度を低温に保つために、冷凍機などの低温環境を維持する手段が設けられている。そして、保冷コンテナの壁や天井などには断熱層が設けられ、内部空間と外部との間に温度差がある場合にも、熱の出入りを小さくすることができるような構造となっている。
【０００４】
保冷コンテナは、通常、直方体の箱状であり、壁や天井などの各面に板状部が設けられている。この板状部の構造は２重の金属板を有しており、２重の金属板同士の間に断熱材を配置している構造となっており、内部空間と外部との間で熱の出入りを小さくするようにしている。この断熱材は発泡性の樹脂などを充填して形成される（例えば、特許文献１参照）。
【特許文献１】特開２００３−７２８８１号公報
【発明の開示】
【発明が解決しようとする課題】
【０００５】
保冷コンテナなどの断熱箱体は、輸送や保管の際に、断熱箱体同士を積み重ねる場合がある。そのため、所定の荷重が上側から作用しても壊れることがないようにする必要がある。また、輸送中の振動などにより、より大きな荷重が作用することがある。さらに、保冷コンテナなどの断熱箱体を船や貨物列車などに積み込んだり船や貨物列車などから降ろしたりする際に、衝撃力によって断熱箱体が破損するおそれがあるので、この衝撃力によって破損しない強度を有する必要がある。
【０００６】
そのため、保冷コンテナなどの断熱箱体において、壁や天井に設けられる２重の金属板は、折り曲げたり湾曲させたりして変形部を形成して、金属板が変形しにくい形状となっている。
【０００７】
一方で、圧縮されても空隙を維持することのできる芯材と、この芯材を包む袋材を有し、袋材内を真空にして製作される真空断熱材は、特に断熱性に優れるものである。そして、このような真空断熱材を２重の金属板の間に配置することができれば、保冷コンテナなどの断熱箱体の断熱性をより向上させることができる。
【０００８】
真空断熱材は板状の部材であり、保冷コンテナなどの断熱箱体に真空断熱材を使用する場合には、２重の金属板の間に配置して製作することが考えられる。しかし、上記したように、コンテナの使用時には大きな力がかかるため、金属板がねじれたり撓んだりすることがあり、このような場合、真空断熱材と金属板との間や、真空断熱材と後から充填される発泡樹脂との間がずれてしまうおそれがあり、このような場合には断熱性が低下するおそれがある。
【０００９】
また、少数の真空断熱材によって、広い面積に貼り付ける場合、１枚の真空断熱材の面積を広くする必要があるが、真空断熱材は湾曲しにくいので貼り付けの作業がしにくくなる。また、金属板の変形部には真空断熱材を固定しにくいので、変形部の両側を同じ真空断熱材を用いることはできず別々の真空断熱材を用いなければならなかった。そのため、真空断熱材の取り付けの際に、多くの真空断熱材を必要とするので、作業性が低下してしまう。
【００１０】
本発明は、上記従来の課題を解決するもので、真空断熱材を用いて断熱を行うものであり、真空断熱材の固定作業などを行いやすい断熱箱体を提供することを目的とする。
【課題を解決するための手段】
【００１１】
上記目的を達成するために、本発明の断熱箱体は、真空断熱材が用いられ、真空断熱材は、外被材と芯材とを有するものであって、前記芯材は複数の領域となるように分割され、前記各領域同士の間の外被材には仕切部が形成されており、真空断熱材を金属板に固定する際には、芯材の各領域を平面部に配置して行うものである。
【００１２】
これによって、真空断熱材を用いて断熱を行うものであり、真空断熱材の固定作業などを行いやすくすることができる。
【発明の効果】
【００１３】
本発明の断熱箱体によれば、真空断熱材を用いて断熱を行うことができ、真空断熱材の固定作業などを行いやすい。
【発明を実施するための最良の形態】
【００１４】
請求項１に記載の断熱箱体の発明は、板状部と、前記板状部によって囲まれる内部空間とを備え、前記板状部は、内側板と外側板からなる２重の金属板と、前記金属板の間に配置される発泡樹脂部及び真空断熱材とを有し、前記内側板の内側に前記内部空間が形成されるものであり、前記内側板及び前記外側板は平板を用いて形成されるものであって、折り曲げ又は湾曲によって形成された変形部と、平面部とが設けられ、前記真空断熱材は、外被材と芯材とを有するものであって、前記芯材は複数の領域となるように分割され、前記各領域同士の間の前記外被材には仕切部が形成されており、前記真空断熱材を前記金属板に固定する際には、前記芯材の各領域を前記平面部に配置して行うことを特徴とするものであり、真空断熱材は仕切部で変形することが可能となり、真空断熱材の固定作業の際などに作業を行いやすい。
【００１５】
請求項２に記載の断熱箱体の発明は、請求項１に記載の発明において、真空断熱材の仕切部が変形部に位置するように、前記真空断熱材が固定されていることを特徴とするものであり、１枚の真空断熱材により、広い範囲の断熱を行うことができ、少ない枚数の真空断熱材で断熱を行うことができる。
【００１６】
請求項３に記載の断熱箱体の発明は、請求項２に記載の発明における変形部が所定の方向に並んで複数設けられており、真空断熱材の芯材の領域の配列方向を、前記変形部に対して横断するように配置していることを特徴とするものであり、真空断熱材の設置を行いやすい。
【００１７】
請求項４に記載の断熱箱体の発明は、請求項１に記載の発明における変形部が所定の方向に延びるものであり、真空断熱材の芯材の領域の配列方向を、前記変形部の延びる方向に合わせたことを特徴とするものであり、真空断熱材の設置を行いやすい。
【００１８】
請求項５に記載の断熱箱体の発明は、請求項４に記載の発明における真空断熱材が、変形部同士の間に配置されていることを特徴とするものであり、真空断熱材の設置作業をさらに容易に行うことができる。
【００１９】
請求項６に記載の断熱箱体の発明は、請求項１から５のいずれか一項に記載の発明において、真空断熱材の仕切部では外被材が密着し、芯材の各領域で独立して密閉状態となっていることを特徴とするものであり、断熱箱体の使用時に、真空断熱材が部分的に破損した場合にも、残りの部分の断熱性を維持することができる。
【００２０】
請求項７に記載の断熱箱体の発明は、請求項１から６のいずれか一項に記載の発明に加えて、内部空間には温度調節装置が配置され、前記内部空間内を所定の温度に制御することができることを特徴とするものであり、貨物の温度を安定させることができる。
【００２１】
以下、本発明の断熱箱体の実施の形態について、図面を参照しながら説明するが、先に説明した実施の形態と同一構成については同一符号を付して、その詳細な説明は省略する。なお、この実施の形態によってこの発明が限定されるものでない。
【００２２】
図１は、本発明の実施の形態１における断熱箱体の斜視図である。図２は、図１に示す断熱箱体のＡ−Ａ断面図である。図３は、図２に示す断熱箱体のＢ部の拡大断面図である。図４は、（ａ）は本発明の実施の形態１の断熱箱体に用いる真空断熱体を示す斜視図、（ｂ）は（ａ）のＣ−Ｃ矢視断面斜視図である。図５は、同実施の形態の断熱箱体の板状部（側板部）の内側板に真空断熱材を貼り付けた状態を示す拡大断面図である。図６は、同実施の形態の断熱箱体の板状部（側板部）の拡大断面図である。図７は、同実施の形態の断熱箱体の板状部（側板部）の変形例を示す拡大断面図である。
【００２３】
本発明の実施の形態１における断熱箱体１は、図１に示されるように、直方体の箱状であって板状部１９を有している。板状部１９は６面に設けられ、全て長方形状であり、上側に配置される天板部１０、下側に配置される底板部１１と、４枚の側板部１２とが設けられている。そして、板状部１９によって囲まれる空間である内部空間１３が内部に形成されている。また、板状部１９は枠材３０に固定されている。
【００２４】
天板部１０及び底板部１１の形状はほぼ同じであり、対向する１組の辺である長辺１５が、他の二辺である短辺１６よりも長く、細長い長方形状となっている。また、短辺１６側に配置される側板部１２は、開閉可能な扉部１７となっており、必要に応じて開閉することができる。内部空間１３に貨物を積み込んだり取り出したりする場合には扉部１７を開け、輸送する場合には、扉部１７は閉じられる。そして、扉部１７を閉じた状態では、内部空間１３がほぼ密閉状となる。
【００２５】
また、図１、図２に示されるように、断熱箱体１の内部空間１３には、温度調節装置１８が設けられている。温度調節装置１８は、内部空間１３内の温度を所定の温度に維持することができるものであり、具体的には冷凍機である。そして、断熱箱体１を用いて輸送する場合には、必要に応じて温度調節装置１８を稼働させ、内部空間１３の温度を所定の温度で維持させることができる。
【００２６】
側板部１２の構造は、図３に示されるように、内側板２２及び外側板２３により構成される２重の金属板２０と、真空断熱材２５及び発泡樹脂部２６により構成される断熱層２１とからなっている。そして、断熱層２１は、内側板２２及び外側板２３の間に形成される断熱層配置空間２７に配置されている。
【００２７】
内側板２２及び外側板２３は、平板の鋼板が用いられている。この鋼板の材質は、アルミやステンレスなどの耐腐食性に優れる材質のものを用いることができる。
【００２８】
また、内側板２２及び外側板２３には、図１、図３に示すように、上下方向に延びる変形部２８が形成されている。変形部２８は、折り曲げて形成される部分であり、断熱層配置空間２７側が突出するように形成され、外部が凹んだ形状となっている。そして、変形部２８以外の部分は平面状である平面部２９となり、後述するように、真空断熱材２５は平面部２９に接着されている。変形部２８の形成はプレスなどにより行うことができる。
【００２９】
なお、変形部２８は折り曲げる方法以外にも、湾曲によって形成することもできる。
【００３０】
変形部２８は所定の間隔を設けるようにして、複数形成され、全体に配置されている。したがって、内側板２２及び外側板２３に、変形部２８に沿う方向（上下方向）に圧縮力が作用した場合や、変形部２８が湾曲する方向に曲げ応力が加わった場合に、より高強度となる。
【００３１】
内側板２２及び外側板２３の変形部２８は、上下方向に延びるように形成されており、これらの方向は平行な関係となっている。
【００３２】
また、変形部２８は上下方向の全域に伸びており、左右の平面部２９を分割する状態となっている。
【００３３】
真空断熱材２５は、図４（ａ），（ｂ）の様に、繊維材を圧縮成形した芯材４３をガスバリア性を有する外被材４１，４２で覆い、当該外被材４１，４２で覆われた内部を減圧したものである。
【００３４】
外被材４１，４２は、ガスバリア層、熱溶着層及び保護層を有する長方形状のシートである。そして、ガスバリア層はアルミニウムなどの金属箔や、金属または無酸化物の蒸着されたフィルムである。熱溶着層は、当該ガスバリア層の内面側に、無延伸ポリプロピレン等のフィルムを熱溶着層として積層したものである。そして、保護層は、ガスバリア層の外面側に、ナイロンやポリエチレンテレフタレートなどのフィルムを積層したラミネートフィルムである。
【００３５】
芯材４３は、圧縮されても空隙を維持することのできるものであり、繊維材などを用いて形成される。芯材４３を繊維材を用いて形成する場合には、グラスウールやグラスファイバーなどの無機繊維が好ましい。また、芯材４３には、繊維材以外の材料を用いても良い。
【００３６】
そして、真空断熱材２５は、外被材４１，４２を重ね合わせ、一部が開口となるように、周りを加熱溶着して袋状とし、さらに芯材４３を袋内に挿入し、さらに、開口部分から袋内を減圧した状態で開口部分を加熱溶着して封止される。
【００３７】
このようにして、製作された真空断熱材２５には、図４（ａ）に示すように、外被材４１，４２の各辺に重ね合わせて加熱溶着される部分である、４ヵ所のひれ部２５ｃ，２５ｄ，２５ｅ，２５ｆが形成される。
【００３８】
また、芯材４３は複数の領域４３ａに分割されており、芯材４３の隣接する領域４３ａの同士の間は仕切部４６が形成されている。仕切部４６は、外被材４１，４２同士が重なり合わさって密着する部分であり、外被材４１，４２の周りのひれ部２５ｃ，２５ｄ，２５ｅ，２５ｆと同様に、加熱溶着される。そして、仕切部４６を通過して、芯材４３の隣接する領域４３ａの間で気体が流れない状態となり、各領域４３ａは独立して密閉状態となっている。
【００３９】
仕切部４６は、芯材４３がないため変形させやすい。そのため、全体が湾曲するような力が作用すると、湾曲しにくい芯材４３が曲がらなくても、仕切部４６で曲がるため、全体の形状を湾曲させることができる。そのため、板状部１９を製作する際に作業しやすく、また、断熱箱体１の使用時に、金属板２０が変形した場合にも真空断熱材２５との間に隙間ができにくくすることができる。
【００４０】
本実施の形態の真空断熱材２５では、芯材４３の領域４３ａは一列に並んだ状態となっている。そして、後述するように、真空断熱材２５は、芯材４３の領域４３ａの配列方向を、変形部２８の延びる方向に対して横断するように横方向となるように配置される。なお、芯材４３の領域４３ａを二列以上並んだ状態として、芯材４３の領域４３ａを格子状に配列したものを用いても良い。
【００４１】
また、仕切部４６の間隔は、内側板２２や外側板２３の変形部２８の間隔に合わせて形成されており、真空断熱材２５を固定する際には、図５のように、仕切部４６が内側板２２や外側板２３の変形部２８に配置するようにして行われる。
【００４２】
真空断熱材２５は、図５に示されるように、内側板２２及び外側板２３の両方に配置され、接着剤で固定されている。具体的には、芯材４３の各領域４３ａが、内側板２２及び外側板２３の平板部２９に配置され、変形部２８には配置されていない。
【００４３】
また、図６、図７に示されるように、真空断熱材２５の仕切部４６が、内側板２２及び外側板２３の変形部２８に位置しており、真空断熱材２５は、変形部２８を横断するように配置されている。
【００４４】
発泡樹脂部２６は、流動状の樹脂を充填しながら発泡硬化させることができるものを用いて成形するものであり、充填することのできる空間に合わせた形状とすることができる。発泡樹脂部２６に用いられる材料としては、ウレタン樹脂材料が用いられるが他の材料でもよい。
【００４５】
側板部１２の形成の方法は、以下の通りである。
【００４６】
まず、真空断熱材２５の表面２５ａ、裏面２５ｂの両面に接着剤を塗布する。この接着剤の種類は限定されるものでないが、発泡樹脂部２６にウレタン樹脂材料を用いた場合は、真空断熱材２５の表面２５ａと発泡樹脂部２６との接着面の接着層５０ａにウレタン系接着剤を用いと、真空断熱材２５の表面２５ａと発泡樹脂部２６との接着性が良い。
【００４７】
そして、図５に示されるように、表面２５ａ、裏面２５ｂの両面に接着剤を塗布された真空断熱材２５を、内側板２２の断熱層配置空間２７側に貼り付ける。このとき、真空断熱材２５の芯材４３の領域４３ａの配列方向を、変形部２８の配列する方向となるようにする。
【００４８】
また、真空断熱材２５の貼り付けは、芯材４３の各領域４３ａが平面部２９に、仕切部４６が変形部２８となるように配置されており、また、内側板２２及び外側板２３の両側に設けられる。
【００４９】
なお、内側板２２及び外側板２３の内側の面（断熱層配置空間２７側の面）に、あらかじめ接着剤を塗布しておき、発泡樹脂部２６と、内側板２２及び外側板２３との間の強度を高強度とすることができる。
【００５０】
真空断熱材２５を取り付けた後、内側板２２と外側板２３は所定の間隔となるような状態で固定される。この固定は、枠材３０に溶接するなどして行われる。そして、内側板２２と外側板２３との間に形成される断熱層配置空間２７に、流動状の樹脂を充填しながら発泡硬化させて発泡樹脂部２６が形成される。断熱層配置空間２７に流動状の樹脂を充填する場合には、内側板２２や外側板２３などに設けられる注入孔（図示せず）から注入されて、図６に示されるような状態となる。そして、注入された樹脂が発泡しながら硬化して、断熱層配置空間２７に合わせるような形状となり、断熱層配置空間２７には隙間が形成されない状態となる。
【００５１】
このとき、図５に示すように、仕切部４６と金属板２０との間に隙間４６ａが形成された状態となっていても、図６に示すように、流動状の樹脂の注入により外側に押されて、この隙間４６ａの空間がほとんどなくなる状態となる。
【００５２】
本実施の形態の断熱箱体１の、天板部１０、底板部１１及び他の側板部１２の構造ついても、上記した側板部１２と同様の構造が採用されており、同様な方法で製作され、これらの板状部１９を用いて箱状とし、内部空間１３が形成される。なお、天板部１０や底板部１１の変形部２８は、短辺１６に平行となる方向に延びるように形成されている。
【００５３】
さらに、温度調節装置１８を、扉部１７が設けられる側板部１２とは反対側付近の内部空間１３に配置して、断熱箱体１が完成する。
【００５４】
上記の断熱箱体１の真空断熱材２５では、内側板２２と外側板２３との間に形成される断熱層配置空間２７に配置されているので、断熱性を向上させることができる。また、真空断熱材２５の芯材４３は、複数の領域４３ａに分割されて仕切部４６が設けられているので、全体形状を容易に曲げることが可能となる。さらに、仕切部４６が変形部２８となるように真空断熱材２５を配置することにより、大きな真空断熱材２５を用いて広い面積をカバーすることができ、少ない枚数の真空断熱材２５で断熱箱体１を製作することができる。
【００５５】
また、上記断熱箱体１では、真空断熱材２５の芯材４３が複数の領域４３ａに分割され、各領域４３ａは、独立して密閉状態となっているので、外被材４１，４２の一部分が破損した場合にも、他の部分の領域４３ａは真空を維持することができるので、かかる場合に断熱性の低下を最小限に抑えることができる。また、板部材１９を補修する場合などにも、真空断熱材２５の一部分が破損するおそれがあるので、かかる場合にも、断熱性の低下を最小限に抑えることができる。
【００５６】
また、図７に示される側板部１２のように、真空断熱材２５の仕切部４６の間隔を短くして、変形部２８の間隔の約半分程度とし、変形部２８の間に配置する芯材４３の領域４３ａを２ヵ所とし、一部の仕切部４６を変形部２８に配置して、他の仕切部４６を平面部２９に配置して、変形部２８の間に配置する芯材４３の領域４３ａを２ヵ所とすることができる。さらに、変形部２８の間に配置する芯材４３の領域４３ａを３ヵ所以上としてもよい。
【００５７】
上記した実施の形態の真空断熱材２５の芯材４３の領域４３ａの配列方向は、変形部２８の配列する方向であって、変形部２８の延びる方向に対して垂直であって、真空断熱材２５が変形部２８を横断するように配置されるものであったが、図８（ａ）、（ｂ）に示されるように、芯材４３の領域４３ａの配列方向を、変形部２８の延びる方向に沿うようにして配置して、縦方向に配列することもできる。この場合、真空断熱材２５の幅を変形部２８同士の間の平面部２９の大きさに合わせるようにして、変形部２８同士の間に、真空断熱材２５を配置することができる。さらに、芯材４３の領域４３ａを２列以上とした格子状に配列したものを用いることができる。
【００５８】
なお、上記した実施の形態の断熱箱体１では、天板部１０、底板部１１及び４枚の側板部１２の板状部１９の全てにおいて用いられる真空断熱材２５の芯材４３が複数の領域４３ａに分割されるものであったが、この構造を採用する板状部１９を一部としてもよい。
【産業上の利用可能性】
【００５９】
以上のように、本発明にかかる断熱箱体は、真空断熱材が、外被材と芯材とを有するものであって、芯材が複数の領域となるように分割され、各領域同士の間の外被材には仕切部が形成されており、真空断熱材を金属板に固定する際には、芯材の各領域を平面部に配置して行うものであるので、真空断熱材を用いて断熱を行うことができ、真空断熱材の固定作業などを行いやすく、一部が破損した場合にも、断熱性の低下を小さくすることができる。したがって、船舶による貨物輸送、鉄道や道路による貨物輸送の保冷コンテナに適用できる。
【図面の簡単な説明】
【００６０】
【図１】本発明の実施の形態１における断熱箱体の斜視図
【図２】図１のＡ−Ａ断面図
【図３】図２のＢ部の拡大断面図
【図４】（ａ）は本発明の実施の形態１の断熱箱体に用いる真空断熱体を示す斜視図、（ｂ）は（ａ）のＣ−Ｃ矢視断面斜視図
【図５】同実施の形態の断熱箱体の板状部（側板部）の内側板に真空断熱材を貼り付けた状態を示す拡大断面図
【図６】同実施の形態の断熱箱体の板状部（側板部）の拡大断面図
【図７】同実施の形態の断熱箱体の板状部（側板部）の変形例を示す拡大断面図
【図８】（ａ）は芯材の配置の変形例を示した正面図、（ｂ）は（ａ）の断面図
【符号の説明】
【００６１】
１      断熱箱体
１２    側板部
１３    内部空間
１８    温度調節装置
１９    板状部
２０    金属板
２２    内側板
２３    外側板
２５    真空断熱材
２６    発泡樹脂部
２８    変形部
２９    平面部
４１，４２  外被材
４３    芯材
４３ａ  領域
４６    仕切部
【図１】
2007131319.tif 000003
【図２】
2007131319.tif 000004
【図３】
2007131319.tif 000005
【図４】
2007131319.tif 000006
【図５】
2007131319.tif 000007
【図６】
2007131319.tif 000008
【図７】
2007131319.tif 000009
【図８】
2007131319.tif 000010